【手続補正書】
【提出日】平成18年9月13日(2006.9.13)
【手続補正１】
【補正対象書類名】特許請求の範囲
【補正対象項目名】全文
【補正方法】変更
【補正の内容】
【特許請求の範囲】
【請求項１】
順次排出されるシートを積載するシート積載手段と、
前記シート積載手段に排出されるシートを搬送するシート搬送手段と、
前記シート搬送手段を前記シートの排出方向に対して交差する方向に移動可能な交差方向移動手段と、
前記シート搬送手段により前記シートのシート端を突き当て整合する規制手段と、
を備えたことを特徴とするシート後処理装置。
【請求項２】
順次排出されるシートを積載するシート積載手段と、
前記シート積載手段に排出されたシートをシート排出方向の下流方向と上流方向に選択的に搬送可能なシート搬送手段と、
前記シート積載手段に積載されたシートの上流端を突き当て整合する規制手段と、
前記シート搬送手段を前記シートの排出方向に対して交差する方向に移動可能な交差方向移動手段と、
前記シート排出方向に対して交差する側のシート端を突き当て整合する交差側規制手段と、
を備えたことを特徴とするシート後処理装置。
【請求項３】
前記シート搬送手段は、前記シート積載手段に積載されているシートの最上シートを搬送し、前記規制手段と前記交差側規制手段に前記最上シートを突き当てることで整合することを特徴とする請求項２記載のシート後処理装置。
【請求項４】
前記規制手段あるいは前記交差側規制手段にシート端を突き当て整合させる場合、前記シート搬送手段による前記シートの各々のシート搬送量を、前記シートの突き当たるシート端と対応する前記規制手段あるいは前記交差側規制手段までの距離よりも多くし、前記シートを突き当てた後、前記シート搬送手段を前記シート上で滑らせることを特徴とする請求項1乃至３のいずれか１項に記載のシート後処理装置。
【請求項５】
前記シート積載手段に積載されたシートの上に後続シートが積載され、前記シート搬送手段により前記後続シートが搬送される時、前記後続シートの移動による前記積載されたシートの追従を阻止する保持手段を備えたことを特徴とする請求項１乃至４のいずれか１項に記載のシート後処理装置。
【請求項６】
前記シート積載手段近傍に配置された上下方向移動可能な第２のシート積載手段と、
前記シート積載手段に積載されたシートを保持し、該第２のシート積載手段に該シートを移送する移送手段と、
を備えたことを特徴とする請求１乃至５のいずれか１項に記載のシート後処理装置。
【請求項７】
前記シート搬送手段は回転可能なローラで構成され、その外周部がゴムもしくは発泡体等の弾性体であることを特徴とする請求項１乃至６のいずれか１項に記載のシート後処理装置。
【請求項８】
前記シート搬送手段を前記シート積載手段に対し上下方向に移動させる上下方向移動手段を備えたことを特徴とする請求項１乃至７のいずれか１項に記載のシート後処理装置
【請求項９】
画像を形成する画像形成手段と、
前記画像形成手段により画像が形成されたシートを排出するシート排出手段と、
前記シート排出手段よって排出されたシートに後処理を施す請求項１乃至８のいずれか１項に記載のシート後処理装置と、
を備えたこと特徴とする画像形成装置。
【手続補正２】
【補正対象書類名】明細書
【補正対象項目名】００１３
【補正方法】変更
【補正の内容】
【００１３】
上記目的を達成するために、本発明のシート後処理装置は、順次排出されるシートを積載するシート積載手段と、前記シート積載手段に排出されるシートを搬送するシート搬送手段と、前記シート搬送手段を前記シートの排出方向に対して交差する方向に移動可能な交差方向移動手段と、前記シート搬送手段により前記シートのシート端を突き当て整合する規制手段と、を備えている。
【手続補正３】
【補正対象書類名】明細書
【補正対象項目名】００１４
【補正方法】変更
【補正の内容】
【００１４】
本発明のシート後処理装置は、順次排出されるシートを積載するシート積載手段と、前記シート積載手段に排出されたシートをシート排出方向の下流方向と上流方向に選択的に搬送可能なシート搬送手段と、前記シート積載手段に積載されたシートの上流端を突き当て整合する規制手段と、前記シート搬送手段を前記シートの排出方向に対して交差する方向に移動可能な交差方向移動手段と、前記シート排出方向に対して交差する側のシート端を突き当て整合する交差側規制手段と、を備えている。
【手続補正４】
【補正対象書類名】明細書
【補正対象項目名】００１６
【補正方法】変更
【補正の内容】
【００１６】
本発明のシート後処理装置は、さらに、前記規制手段あるいは前記交差側規制手段にシート端を突き当て整合させる場合、前記シート搬送手段による前記シートの各々のシート搬送量を、前記シートの突き当たるシート端と対応する前記規制手段あるいは前記交差側規制手段までの距離よりも多くし、前記シートを突き当てた後、前記シート搬送手段を前記シート上で滑らせることを特徴としている。
【手続補正５】
【補正対象書類名】明細書
【補正対象項目名】００１７
【補正方法】変更
【補正の内容】
【００１７】
本発明のシート後処理装置は、さらに、前記シート積載手段に積載されたシートの上に後続シートが積載され、前記シート搬送手段によりより前記後続シートが搬送される時、前記後続シートの移動による前記積載されたシートの追従を阻止する保持手段を備えている。
【手続補正６】
【補正対象書類名】明細書
【補正対象項目名】００１９
【補正方法】変更
【補正の内容】
【００１９】
本発明のシート後処理装置における上記シート搬送手段は、回転可能なローラで構成され、その外周部がゴムもしくは発泡体等の弾性体であることを特徴としている。
【手続補正７】
【補正対象書類名】明細書
【補正対象項目名】００２０
【補正方法】変更
【補正の内容】
【００２０】
上記目的を達成するために、さらに、本発明のシート後処理装置は、前記シート搬送手段を前記シート積載手段に対し上下方向に移動させる上下方向移動手段を備えている。
【手続補正８】
【補正対象書類名】明細書
【補正対象項目名】００２１
【補正方法】変更
【補正の内容】
【００２１】
上記目的を達成するために、本発明の画像形成装置は、画像を形成する画像形成手段と、前記画像形成手段により画像が形成されたシートを排出するシート排出手段と、前記シート排出手段よって排出されたシートに後処理を施す上記いずれか１つのシート後処理装置と、を備えている。
【手続補正９】
【補正対象書類名】明細書
【補正対象項目名】００２２
【補正方法】削除
【補正の内容】
【手続補正１０】
【補正対象書類名】明細書
【補正対象項目名】００２３
【補正方法】削除
【補正の内容】
【手続補正１１】
【補正対象書類名】明細書
【補正対象項目名】００３１
【補正方法】変更
【補正の内容】
【００３１】
上記目的を達成するために、さらに、本発明のシート後処理装置は、シート搬送手段によりシートを搬送、またはシート整合処理をしていないときにはシート搬送手段をシート積載手段から離す構成にしているので、シートが順次シート積載手段に排出される時、シート搬送手段によりシートを受け取り易く、また不要にシートに負荷を与えることがなく、シートをいためず、シートの積載枚数、温度や湿度等に影響されず安定したシートの搬送、整合を得ることができる。
【手続補正１２】
【補正対象書類名】明細書
【補正対象項目名】００３２
【補正方法】変更
【補正の内容】
【００３２】
上記目的を達成するために、本発明の画像形成装置は、画像を形成する画像形成手段と、画像が形成されたシートを排出するシート排出手段と、シート排出手段よって排出されたシートに後処理を施す上記いずれか１つのシート後処理装置とを備えているので、シート後処理装置と連携してシート後処理装置に搬送されてきたシートを、効率よく安定して、確実に整合し、後処理することができる画像形成装置を提供できる。
【手続補正１３】
【補正対象書類名】明細書
【補正対象項目名】００３３
【補正方法】削除
【補正の内容】
【手続補正１４】
【補正対象書類名】明細書
【補正対象項目名】００３４
【補正方法】削除
【補正の内容】
【手続補正１５】
【補正対象書類名】明細書
【補正対象項目名】００４１
【補正方法】変更
【補正の内容】
【００４１】
プリンタ部２００に入力された画像信号は、露光制御部２０１で変調された光信号に変換されて、画像形成手段として例えば感光体２０２に照射される。この照射光によって感光体２０２上に静電潜像が形成され、感光体２０２上の静電潜像は、現像器２０３によって現像、可視化されトナー像が形成される。そして、トナー像の先端とタイミングを合わせて、シートカセット２０４、２０５の一方からシートが搬送されて、転写部２０６で上記トナー像がシートに転写される。この転写された像は、定着部２０７でシートに定着される。像を定着されたシートは、搬送パスの方向切り替え部材２０９によりパス２１４をへて、シート排出手段として例えばシート排出部２０８から、複写機５００の装置本体５００Ａ外部に排出される。その後、シートには、シート後処理装置４００であらかじめ指定されたシート処理動作モードに応じて、仕分け、綴じ等が行われる。
【手続補正１６】
【補正対象書類名】明細書
【補正対象項目名】００５２
【補正方法】変更
【補正の内容】
【００５２】
ＣＰＵ１１１はシリアルインターフェイス部１３０を備えており、複写機５００の装置本体５００Ａの制御部５０１と、制御データや制御信号の授受を行うようになっている。ＣＰＵ１１１は、シリアルインターフェイス部１３０を介して装置本体５００Ａの制御部５０１から送られてくる制御データや制御信号をもとに前述各モータ、各ソレノイド等の制御を行うようになっている。
【手続補正１７】
【補正対象書類名】明細書
【補正対象項目名】００５７
【補正方法】変更
【補正の内容】
【００５７】
オフセットローラ４０７は、後処理トレイ４１０にシートが排出されつつ、シートの上流端が入口センサ４０３を抜け、シートの上流端が搬送ローラ４０５を抜けきらないうちに、ピックアップソレノイド４３３がオフになることによって、自重で下降して、シートの上面に圧接して、シート全体が後処理トレイ４１０に積載するようにシートを下流側に搬送するようになっている。